(57)【要約】  イヤホンを着用して運動などした際に発生する、配線や基板（部品）と衣類や人体とが接触して発生する接触音、また、配線や基板（部品）と衣類や人体の皮膚との摩擦時の摩擦音を低減させ、それらの音が配線を経由し聞こえる不快音が少ないイヤホンを提供する。イヤホンは、左右一対のスピーカーと、スピーカーを駆動する回路に加えて、通信回路を含む回路及び／又は電池を有する少なくとも一つの基板と、左右のスピーカー同士を繋ぐ配線、又は、左右のスピーカーと基板とを別々に繋ぐ配線と、を備え、そして、配線が伸縮性を有する。
2017217374.tif 000002
【特許請求の範囲】
【請求項１】
左右一対のスピーカーと、
前記スピーカーを駆動する回路に加えて、無線通信回路を含む回路及び／又は電池を有する少なくとも一つの基板と、
前記左右のスピーカー同士を繋ぐ配線、又は、前記左右のスピーカーと基板とを別々に繋ぐ配線と、を備え、そして、
前記配線が伸縮性を有することを特徴とするイヤホン。
【請求項２】
前記左右一対のスピーカーは左側スピーカーおよび右側スピーカーであり、
前記左側スピーカーと前記基板とが第一の配線により繋がれ、
前記右側スピーカーと前記基板とが第二の配線により繋がれており、そして、
前記第一および第二の配線が伸縮性を有する、請求項１に記載のイヤホン。
【請求項３】
前記基板は、左側基板と右側基板とを有し、
前記左側スピーカーと前記左側基板とが第一の配線により繋がれ、
前記右側スピーカーと前記右側基板とが第二の配線により繋がれ、
前記左側基板と前記右側基板とが第三の配線により繋がれており、そして、
前記第一および第二の配線が伸縮性を有する、請求項１に記載のイヤホン。
【請求項４】
前記基板は前記左側スピーカー又は前記右側スピーカーに収納され、
該左側スピーカーと該右側スピーカーとは、伸縮性のある配線によって繋がれている、請求項１に記載のイヤホン。
【請求項５】
前記配線は１０％以上の伸縮性を有し、その配線を１０％以上伸長させた後、配線自ら縮んで、伸びない時の長さの１１０％となる時の応力は２Ｎ以下である、請求項１〜４のいずれか一項に記載のイヤホン。
【請求項６】
左側スピーカーの左側端と右側スピーカーの右側端との距離による配線の長さを３種類以上もつ、請求項１〜５のいずれか一項に記載のイヤホン。
【請求項７】
前記基板又は前記スピーカーは、前記配線の長さを調整できる機構を有する、請求項１〜６のいずれか一項に記載のイヤホン。
【請求項８】
前記配線を前記基板又は前記スピーカーに巻きつける、または、蛇行させることにより、配線の長さを調整できる、請求項６又は７に記載のイヤホン。
【請求項９】
前記基板に６箇所以上の突起部を設け、前記配線を前記突起部に通し、配線が通される突起部の数により配線の長さが調整され、前記配線は前記突起部に固定される機構を有する、請求項６〜８のいずれか一項に記載のイヤホン。
【請求項１０】
前記配線は前記左側スピーカー及び前記右側スピーカーに巻き付けられる回数で該配線の長さが調整され、前記配線は両スピーカーに設けられている隙間に固定される機構を有する、請求項６〜９のいずれか一項に記載のイヤホン。
【請求項１１】
前記イヤホンを頭に装着した場合、前記基板が頭に与える圧力が０．１ｈｐａ〜３０ｈｐａとなるように、前記配線の長さを調整できる、請求項６〜１０のいずれか一項に記載のイヤホン。
【請求項１２】
請求項１〜１１のいずれか一項に記載のイヤホンの装着方法において、
前記イヤホンを頭に装着した場合、前記基板が頭に与える圧力が０．１ｈｐａ〜３０ｈｐａとなる、イヤホンの装着方法。
【請求項１３】
請求項１〜１１のいずれか一項に記載のイヤホンの装着方法において、
前記配線を左右の耳と頭部との溝の間に装着する、イヤホンの装着方法。
【請求項１４】
請求項１〜１１のいずれか一項に記載のイヤホンの装着方法において、
基板、部品又は配線の揺れが無く、聞き取る音声において打撃音や摩擦音が軽減された、イヤホンの装着方法。
【請求項１５】
請求項１〜１１のいずれか一項に記載のイヤホンの装着方法において、
配線の縮む力で基板、部品を後頭部或は頭の上に固定させることにより、人間が動いても、頭を動かしても、基板、部品が動かされない、イヤホンの装着方法。
【発明の詳細な説明】
【技術分野】
【０００１】
本発明は、音楽鑑賞や音声再生用のイヤホン及びその装着方法に関する。
【背景技術】
【０００２】
従来、音楽鑑賞や音声再生用のイヤホンに使用されている配線は伸縮性を持たず、各年齢層の人たちや頭のサイズの違う人たちに装着できるように、長い配線付きのイヤホンや配線を収納できるイヤホンが主流となっている。伸縮性のない配線を使用するため、確実にイヤホンを耳に装着させるには、時間がかかる。配線のたるみなどの不愉快感を無くすため、最近、配線を巻く器具を設けて、配線を収納できるイヤホンもある（例えば、特許文献１）。【０００３】
従来のイヤホンにおいては、配線に伸縮性がなく配線がたるむので、運動する際、配線の揺れが生じる。その揺れの影響により、配線や基板（部品）が衣類や人体に触れる時に発生する接触音、また、配線や基板（部品）が衣類や人体と摩擦する時の摩擦音が発生してしまう。それらの音は配線を経由し、聞こえてしまい、快適な音楽鑑賞や音声再生ができない。更に、配線のたるみにより衣類や周囲の物に引っかかり、イヤホンが曳き付かれ、耳の穴からずれる場合もある。また、イヤホンを付ける際、配線が人体の皮膚などと触れないように衣服の上などに置くのが好ましいと考えられるが、配線にたるみがあるため、人はイヤホンを付けて直後に運動する時、配線の揺れにより配線が初期の適切な場所からずらされ、配線が皮膚と触れる場合が多々あって、不愉快感や違和感を引き起こす。そのため、再度、配線を置く位置を調整する必要があり、イヤホンの装着時間を長くさせてしまう。【０００４】
特許文献１の構成についても、配線を巻くことにより、配線はある程度短くできるが、配線を巻く器具が必要となる。また、器具が大きくかつ重く感じる場合が多い。運動するときに、配線を巻く器具の揺れや、頭との接触による不快感が生じ、更に、頭と触れる際に発生する接触音が配線を経由し、聞こえてしまい、高音質な音楽や音声再生が実現できない。
一方、片耳ずつに分かれた完全なワイヤレスイヤフォンも登場してきたが、左右各々に、バッテリーと通信モヂュールを搭載する必要があり、耳部が大きく、重くなるという課題がある。さらに、片耳ずつわかれているので失いやすいという課題もある。
【先行技術文献】
【特許文献】
【０００５】
【特許文献１】実用新案登録第３１８３３６７号公報
【発明の概要】
【発明が解決しようとする課題】
【０００６】
本発明は、このような従来の実情に鑑みて発明されたものであり、イヤホンを着用して運動などした際に発生する、配線や基板（部品）と衣類や人体とが接触して発生する接触音、また、配線や基板（部品）と衣類や人体の皮膚との摩擦時の摩擦音を低減させ、それらの音が配線を経由し聞こえる不快音が少ないイヤホンを提供することを目的とする。更に、着用時に配線が弛まず、衣類や周囲物に引っかかったり、イヤホンが曳き付かれたりすることもなく、その為、耳の穴からずれ難くなり、確実にイヤホンを耳に装着させるのに時間のかからないイヤホンの提供も目的とする。【０００７】
特許文献１のイヤホンでは、配線を巻くことにより、配線はある程度短くできるが、そもそも配線を巻く器具が必要となる。また、その部品のサイズが大きく、重く感じることも多々ある。運動する際、捲回器具の揺れや、頭との接触による不愉快が感じられ、更に、頭と触れる際に発生する接触音が配線を経由し聞こえてしまい、高音質な音楽や音声再生が実現できない。
【課題を解決するための手段】
【０００８】
本発明者らは、上記課題を解決すべく鋭意検討した結果、イヤホンの配線部に伸縮性を付与することによって、イヤホンを着用して運動などした時でも、配線や基板（部品）が衣類や人体に接触したり擦れたりすることが少なくて、それにより発生する接触音や摩擦音が配線を経由して聞こえる不快音の発生を低減できることを見出し、さらに、着用時に配線が伸縮性を有すると、配線が弛まず、衣類や周囲の物に引っかかったり、イヤホンが曳き付かれることもなく、その為、耳の穴からずれ難くなること、また、確実にイヤホンを耳に装着させるのに時間を要しないことが判明し、本発明を完成するに至った。
すなわち、本発明は以下のとおりのものである。
［１］
左右一対のスピーカーと、
前記スピーカーを駆動する回路に加えて、無線通信回路を含む回路及び／又は電池を有する少なくとも一つの基板と、
前記左右のスピーカー同士を繋ぐ配線、又は、前記左右のスピーカーと基板とを別々に繋ぐ配線と、を備え、そして、
前記配線が伸縮性を有することを特徴とするイヤホン。
［２］
前記左右一対のスピーカーは左側スピーカーおよび右側スピーカーであり、
前記左側スピーカーと前記基板とが第一の配線により繋がれ、
前記右側スピーカーと前記基板とが第二の配線により繋がれており、そして、
前記第一および第二の配線が伸縮性を有する、[１]に記載のイヤホン。
［３］
前記基板は、左側基板と右側基板とを有し、
前記左側スピーカーと前記左側基板とが第一の配線により繋がれ、
前記右側スピーカーと前記右側基板とが第二の配線により繋がれ、
前記左側基板と前記右側基板とが第三の配線により繋がれており、そして、
前記第一および第二の配線が伸縮性を有する、[１]に記載のイヤホン。
［４］
前記基板は前記左側スピーカー又は前記右側スピーカーに収納され、
該左側スピーカーと該右側スピーカーとは、伸縮性のある配線によって繋がれている、[１]に記載のイヤホン。
［５］
前記配線は１０％以上の伸縮性を有し、その配線を１０％以上伸長させた後、配線自ら縮んで、伸びない時の長さの１１０％となる時の応力は２Ｎ以下である、[１]〜[４]のいずれか一項に記載のイヤホン。
［６］
左側スピーカーの左側端と右側スピーカーの右側端との距離による配線の長さを３種類以上もつ、[１]〜[５]のいずれか一項に記載のイヤホン。
［７］
前記基板又は前記スピーカーは、前記配線の長さを調整できる機構を有する、[１]〜[６]のいずれか一項に記載のイヤホン。
［８］
前記配線を前記基板又は前記スピーカーに巻きつける、または、蛇行させることにより、配線の長さを調整できる、[６]又は[７]に記載のイヤホン。
［９］
前記基板に４箇所以上の隙間を設け、前記配線を前記隙間に通し、配線が通される隙間の数により配線の長さが調整され、前記配線は前記隙間に固定される機構を有する、[６]〜[８]のいずれか一項に記載のイヤホン。
［１０］
前記基板に６箇所以上の突起部を設け、前記配線を前記突起部に通し、配線が通される突起部の数により配線の長さが調整され、前記配線は前記突起部に固定される機構を有する、[６]〜[９]のいずれか一項に記載のイヤホン。
［１１］
前記イヤホンを頭に装着した場合、前記基板が頭に与える圧力が０．１ｈｐａ〜３０ｈｐａとなるように、前記配線の長さを調整できる、[６]〜[１０]のいずれか一項に記載のイヤホン。
［１２］
[１]〜[１１]のいずれか一項に記載のイヤホンの装着方法において、
前記イヤホンを頭に装着した場合、前記基板が頭に与える圧力が０．１ｈｐａ〜３０ｈｐａとなる、イヤホンの装着方法。
［１３］
[１]〜[１１]のいずれか一項に記載のイヤホンの装着方法において、
前記配線を左右の耳と頭部との溝の間に装着する、イヤホンの装着方法。
［１４］
[１]〜[１１]のいずれか一項に記載のイヤホンの装着方法において、
基板、部品又は配線の揺れが無く、聞き取る音声において打撃音や摩擦音が軽減された、イヤホンの装着方法。
［１５］
[１]〜[１１]のいずれか一項に記載のイヤホンの装着方法において、
配線の縮む力で基板、部品を後頭部或は頭の上に固定させることにより、人間が動いても、頭を動かしても、基板、部品が動かされない、イヤホンの装着方法。
【発明の効果】
【０００９】
本発明の第１の態様においては、例えば、左耳に装着用の左側スピーカーと右耳に装着用の右側スピーカーがあり、両スピーカーを駆動する回路とその他の回路と電池を有する基板（部品）は両スピーカーの間に設けられ、その基板（部品）はそれぞれのスピーカーと伸縮性のある配線より接続されているイヤホンを提供する。
本発明の第２の態様においては、左耳に装着用の左側スピーカーと右耳に装着用の右側スピーカーがあり、両スピーカーを駆動する回路とその他の回路と電池を有する二つの基板（部品）は両スピーカーの間に設けられ、上記の二つの基板（部品）の間の配線は伸縮性のある配線或は伸縮性のない配線を使用し、それぞれの基板（部品）はそれぞれのスピーカーと伸縮性のある配線より接続されているイヤホンを提供する。
本発明の第３の態様においては、左耳に装着用の左側スピーカーと右耳に装着用の右側スピーカーがあり、両スピーカーを駆動する回路とその他の回路と電池を有する基板（部品）は左側スピーカー或いは右側スピーカーと同じ部品に収納され、両スピーカーは伸縮性のある配線より接続されているイヤホンを提供する。【００１０】
本発明のイヤホンの装着方法においては、基板（部品）などを頭の後ろ或は頭頂部付近に配置して、耳と頭との溝の中（耳輪と舟状窩の間）の溝に沿って）に配線し、両耳の穴に両スピーカーを入れて、基板（部品）を頭の後ろ或は頭頂部付近に安定させる。つまり、配線を延びている状態でイヤホンを付けた後、配線の縮む力で基板（部品）を頭の後ろ或は頭頂部付近に安定させることができ、人間が動いても、頭を動かしても、基板（部品）が動きがたい。基板（部品）を頭の後ろ或頭頂部付近に安定させる場合、配線を伸びさせて、配線の縮む力により基板（部品）が頭に与える圧力で人に不快感を与えないように配線の長さを調整できる機構も提供する。また、配線の長さを調整できるので、多くの人の頭のサイズに合わせられることもできる。【００１１】
このような方法により、上記のような配線伸縮性のあるイヤホンを使用すれば、すばやくイヤホンを装着だけではなく、配線の伸縮性により基板（部品）等を安定させることができ、運動時の配線揺れや配線トラブルを最小限にすることができ、配線の揺れによる打撃音や摩擦音も最小限にすることができる。【００１２】
なお、上記の発明の概要は、本発明の特徴の全てを列挙したものではない。また、これらの特徴群のサブコンビネーションもまた、発明となりうる。
【図面の簡単な説明】
【００１３】
【図１】特許文献１の構成例を示す図である。
【図２Ａ】第１の態様（実施例１）の構成を示す図である。
【図２Ｂ】第２の態様（実施例２）の構成を示す図である。
【図２Ｃ】第３の態様（実施例３）の構成を示す図である。
【図３Ａ】伸縮配線の伸縮特性例１を示す図である。
【図３Ｂ】伸縮配線の伸縮特性例２を示す図である。
【図４Ａ】基板（部品）の伸縮配線の長さの調整例１を示す図である。
【図４Ｂ】スピーカーの伸縮配線の長さの調整例２を示す図である。
【図５Ａ】発明したイヤホンの装着方法を示す側面図である。
【図５Ｂ】発明したイヤホンの装着方法を示す裏面図である。
【発明を実施するための形態】
【００１４】
以下、発明の実施の形態を通じて本発明を説明するが、以下の実施形態は特許請求の範囲にかかる発明を限定するものではない。また、実施形態の中で説明されている特徴の組み合わせの全てが発明の解決手段に必須であるとは限らない。
【実施例】
【００１５】
［実施例１］
図２Ａは、第１の態様（実施例１）１００の構成の概要を示す。本例の構成１００は、左側スピーカー１０１、右側スピーカー１０２、基板（部品）１０３、伸縮性のある第一の配線（１）１０４及び伸縮性のある第二の配線（２）１０５を備える。【００１６】
左側スピーカー１０１は、左側耳に装着し、音楽や音声等を再生する部品であり、右側スピーカー１０２は、右側耳に装着し、音楽や音声等を再生する部品である。基板（部品）１０３は、左側スピーカー１０１と右側スピーカー１０２との間に設けられる。基板（部品）１０３は左側スピーカー１０１と右側スピーカー１０２を駆動する回路、その他の回路及び電池等を有する。基板（部品）１０３は無線通信回路を有していてもよい。【００１７】
基板（部品）１０３と左側スピーカー１０１とは伸縮性のある配線（１）１０４より接続され、基板（部品）１０３と右側スピーカー１０２とは伸縮性のある配線（２）１０５より接続される。伸縮性のある配線（１）１０４と伸縮性のある配線（２）１０５は伸縮性があり、５％〜３００％の最大伸長率が好ましい。特に好ましくは１０〜２００％である。
最大伸長率（％）＝
（最大伸長されている時の配線の長さ／伸縮していない時の配線の長さ−１）×１００
伸長率の測定方法例：
Ｓｔｅｐ１）２０ｃｍの未伸長状態の配線を切り出す。
Ｓｔｅｐ２）配線を垂直にさせ、片端を固定し、固定箇所から１０ｃｍ離れている
ところに目印を付ける。
Ｓｔｅｐ３）もう片端に５００ｇの荷重を掛けて、固定箇所と先の目印のところの
距離を測定する。
Ｓｔｅｐ４伸長率＝  ［（ｓｔｅｐ３で測定した距離／１０ｃｍ）−１］×１００【００１８】
伸縮性のある第一の配線（１）１０４と伸縮性のある第二の配線（２）１０５を使用するイヤホンを頭に装着する際、上記配線を伸びさせ、イヤホンを装着した後、配線が持っている縮む力でイヤホンを頭に固定させている。図３Ａに伸縮性の弱い配線の伸縮特性例（１）４００を示しており、図３Ｂに伸縮性のやや強い配線の伸縮特性例（２）５００を示している。配線を１０％以上伸長させた後、配線が自ら縮んで、伸びない時の長さの１１０％となる時の応力は、図３Ａに示している伸縮性の弱い配線では約０．０７Ｎとなり、図３Ｂに示しているやや強い配線では約０．３Ｎとなる。配線を１０％以上伸長させた後、配線が自ら縮んで、伸びない時の長さの１１０％となる時の応力は２Ｎ以下が好ましい、特に好ましくは１Ｎ以下である。【００１９】
音楽や音声等を再生する場合、基板（部品）１０３はスマホ等の機器から無線信号を受信し、受信した信号を音声信号に変換し、その音声信号をスピーカー駆動回路より左側スピーカー１０１と右側スピーカー１０２に転送する。伸縮性のある第一の配線（１）１０４は左側スピーカー１０１に必要な音声信号や制御信号を転送する。伸縮性のある第二の配線（２）１０５は右側スピーカー１０２に必要な音声信号や制御信号を転送する。【００２０】
第１の態様（実施例１）１００のイヤホンについて、配線は伸縮性があり、配線を少し伸ばした状態でイヤホンを装着した後、配線の収縮力により、基板（部品）１０３と配線を安定（固定）にさせることができ、部品や配線がいわゆる「安定化」となる。その為、人が動いても、頭を動かしても、部品や配線が動かれにくく、配線から発生する接触音や摩擦音を軽減できるだけではなく、基板（部品）から発生する接触音や摩擦音自体も軽減することもできる。特許文献１のイヤホンでは、配線を収納できるものの、配線に伸縮性がなく、基板や巻く器具を安定させることが困難なので、運動時、基板や巻く器具から接触音や摩擦音が発生し、その為、高音質な音楽や音声再生の実現が困難である。【００２１】
イヤホンを頭に装着した後、基板（部品）を安定（固定）にさせること、いわゆる「安定化」とは、基板（部品）が頭に与える圧力が０．１ｈｐａ〜３０ｈｐａであることが好ましい。０．１ｈｐａ以下となると、基板（部品）は頭に密着できず、運動などにより配線の揺れが発生し、配線の揺れによる打撃音や摩擦音が発生する恐れがある。３０ｈｐａ以上の圧力となると、基板（部品）が頭に強い力で固定され、更に、配線も頭に強い圧力を与え、人に不快感を与えてしまい、気持ち良く音楽鑑賞や音声再生を実現できない。より好ましくは２ｈｐａ〜１０ｈｐａである。配線が１０％以上伸長でき、伸長後、配線が自ら縮んで、伸びない時の長さの１１０％となる時の応力は１Ｎ以下であり、配線が伸長されない場合の配線長さは１００〜１５０％の長さ調整できる機構をもつことでこれが実現できる。【００２２】
［実施例２］
図２Ｂは、第２の態様（実施例２）２００の構成の概要を示す。本例の構成２００は、左側スピーカー２０１、右側スピーカー２０２、左側基板（部品１）２０３、右側基板（部品２）２０４、伸縮性のある第一の配線（１）２０５及び伸縮性のある第二の配線（２）２０６を備える。【００２３】
左側スピーカー２０１は、左側耳に装着し、音楽や音声等を再生する部品であり、右側スピーカー２０２は、右側耳に装着し、音楽や音声等を再生する部品である。左側基板（部品１）２０３、右側基板（部品２）２０４は、左側スピーカー２０１と右側スピーカー２０２との間に設けられる。左側基板（部品１）２０３は左側スピーカー２０１を駆動する回路とその他の回路又は電池等を有する。右側基板（部品２）２０４は右側スピーカー２０２を駆動する回路とその他の回路又は電池等を有する。基板（部品）２０３又は２０４は無線通信回路を有していてもよい。【００２４】
左側基板（部品１）２０３と左側スピーカー２０１とは伸縮性のある第一の配線（１）２０５により接続され、右側基板（部品２）２０４と右側スピーカー２０２とは伸縮性のある第二の配線（２）２０６により接続される。伸縮性のある第一の配線（１）２０５と伸縮性のある第二の配線（２）２０６は伸縮性があり、５％〜３００％の伸長率が好ましい。特に好ましくは１０〜２００％である。左側基板（部品１）２０３と右側基板（部品２）２０４とは伸縮性のない配線又は伸縮性のある配線より接続される。また、配線を１０％以上伸長させた後、配線が自ら縮んで、伸びない時の長さの１１０％となる時の応力は２Ｎ以下が好ましい。特に好ましくは１Ｎ以下である。【００２５】
音楽や音声等を再生する場合、左側基板（部品１）２０３、又は、右側基板（部品２）２０４はスマホ等の機器から無線信号を受信し、受信した信号を音声信号に変換し、その音声信号を駆動回路より左側基板（部品１）２０３から左側スピーカー２０１に転送し、右側基板（部品２）２０４から右側スピーカー２０２に転送する。伸縮性のある第一の配線（１）２０５は左側スピーカー２０１に必要な音声信号や制御信号を転送する。伸縮性のある第二の配線（２）２０６は右側スピーカー２０２に必要な音声信号や制御信号を転送する。【００２６】
第２の態様（実施例２）２００のイヤホンについて、配線は伸縮性があり、配線を少し伸ばした状態でイヤホンを装着すると、第１の態様と同様に、配線の収縮力により、基板（部品）を「安定化」させることができ、配線から発生する接触音や摩擦音を軽減できるだけではなく、基板（部品）から発生する接触音や摩擦音をも軽減することもできる。特許文献１に記載のイヤホンでは、配線を収納できるものの、配線に伸縮性がなく、基板を巻く器具を「安定」にさせる力がなく、運動時に基板や巻く器具から接触音や摩擦音が依然発し、その為、高音質な音楽や音声再生が実現困難である。第１の態様（実施例１）１００と同様、イヤホンを装着後、基板（部品）が頭に与える圧力が０．１ｈｐａ〜３０ｈｐａであることが好ましい。特に好ましくは２ｈｐａ〜１０ｈｐａである。【００２７】
［実施例３］
図２Ｃは、第３の態様（実施例３）３００の構成の概要を示す。本例の構成３００は、左側スピーカー３０１、右側スピーカー３０２、伸縮性のある配線３０３を備える。【００２８】
左側スピーカー３０１は、左側耳に装着し、そのスピーカーを駆動する回路を有し、音楽や音声等を再生する部品であり、右側スピーカー３０２は、右側耳に装着し、そのスピーカーを駆動する回路を有し、音楽や音声等を再生する部品である。無線通信回路とその他の回路又は電池を有する基板（部品）は左側スピーカー３０１或いは右側スピーカー３０２に収納される。【００２９】
左側スピーカー３０１と右側スピーカー３０２とは伸縮性のある配線３０３より接続される。伸縮性のある配線３０３は伸縮性があり、５％〜３００％の伸長率が好ましい。特に好ましくは１０〜２００％である。また、配線を１０％以上伸長させた後、配線が自ら縮んで、伸びない時の長さの１１０％となる時の応力は２Ｎ以下が好ましい。特に好ましくは１Ｎ以下である。【００３０】
音楽や音声等を再生する場合、左側スピーカー３０１或いは右側スピーカー３０２はスマホ等の機器から無線信号を受信し、受信した信号を音声信号に変換し、その音声信号を駆動回路より左側スピーカー３０１又は右側スピーカー３０２に転送する。伸縮性のある配線３０３は左側スピーカー３０１に必要な音声信号や制御信号あるいは右側スピーカー３０２に必要な音声信号や制御信号を転送する。【００３１】
第３の態様（実施例３）３００のイヤホンについて、配線は伸縮性があり、配線を少し伸ばした状態でイヤホンを装着すると、第１の態様、第２の態様と同様に、配線の収縮力により、配線を頭に密着させることができ、配線から発生する接触音や摩擦音をも軽減することもできる。【００３２】
以上の通り、伸縮性のある配線で構成した本例のイヤホンにおいては、配線のたるみがなく、運動する際、配線の揺れがなく、配線が衣類や人間に触れる時に発生する接触音や、配線が衣類や人体と摩擦する時の摩擦音が軽減され、高音質な音楽や音声再生が実現できる。また、配線がたるみにより衣類や周囲の物に引っかかり、イヤホンが曳き付かれ、耳の穴からずれ落ちるおそれもなくなる。更に、配線を巻く器具が不要となり、基板（部品）も小さく、かつ軽量化することができる。また、伸縮性のある配線のもつ収縮力のために、運動する際、基板（部品）と頭とが接触するときの不愉快や、頭と接触する際に発生する接触音や摩擦音も軽減され、快適に高音質な音楽や音声再生が実現できる。【００３３】
多くの人の頭のサイズに合わせられること、或いは、最適な配線の縮む力で、基板（部品）を頭の後ろ或頭頂部付近に安定させ、基板（部品）が頭に与える圧力は人に不快感を与えないため、本発明の実施形態１，２，３は配線の長さを調整できる機構も提供する。【００３４】
図４Ａは、基板（部品）の伸縮配線の長さの調整例（１）６００を示す図であり、配線の長さを調整できる機構が、基板（部品）に備えられていることを示している。基板（部品）６０１には、互い違いに配された複数の突起部６０２が設けられており、伸縮配線６０３は真っ直ぐに配置されず、配線を蛇行させながら突起部に架け渡すことにより、真っ直ぐの配線より長く実現できる。また、配線は最後の二つの配線固定用突起部６０４を通すことで配線を固定させることもできる。配線を架け渡す突起部６０２の数により、配線の長さを調整できるようになる。左右対称を考え、基板（部品）の左側と右側にはそれぞれ３個以上（合わせて６個以上）の突起部があったほうが好ましい。上記突起部の代わりに複数の溝部を設け、配線を蛇行させながら溝部に架け渡すことでも同様に配線の長さを調整することができる。溝部の数は、基板（部品）の左側と右側にはそれぞれ３個以上（合わせて６個以上）あったほうが好ましい。また、配線６０３を配線固定リング型部品６０５に通し、リング型部品６０５は配線を挟持することで配線を固定させ、配線はリング型部品６０５を通す長さにより配線の長さも調整できる。このような配線の長さを調整できる機構により、左側スピーカーの左側端と右側スピーカーの右側端との距離による配線の長さを３種類以上もつことができる。【００３５】
図４Ｂは、スピーカーの伸縮配線の長さの調整例（２）７００を示す図であり、配線の長さを調整できる機構が、スピーカーに備えられていることを示している。伸縮配線７０２は、スピーカー本体７０１に巻き付けることができ、巻き付ける回数により配線の長さが調整される。また、スピーカーには配線を固定するための固定用隙間７０３も設けられている。配線をその隙間に通すことで、巻き付けた配線が外れないように固定させる。このような配線の長さを調整できる機構により、左側スピーカーの左側端と右側スピーカーの右側端との距離による配線の長さを３種類以上もつことができる。【００３６】
以上、本発明を実施の形態を用いて説明したが、本発明の技術的範囲は上記実施の形態に記載の範囲には限定されない。上記実施の形態に、多様な変更または改良を加えることが可能であることが当業者にとっては明らかである。その様な変更または改良を加えた形態も本発明の技術的範囲に含まれ得ることが、特許請求の範囲の記載から明らかである。【００３７】
以下、発明したイヤホンの装着方法について説明するが、装着方法は特許請求の範囲にかかる方法を限定するものではない。また、装着方法の中で説明されている方法の組み合わせの全てが発明の解決手段に必須であるとは限らない。【００３８】
図５Ａは、イヤホンの装着方法（１）８００を示す図であり、イヤホンを装着後の側面図を示している。スピーカー８０２は耳の穴の中に配置され、伸縮性のある配線８０１は耳輪と舟状窩の間の溝に配されている。この配線はスピーカーと基板（部品）との間に結線され、あるいは左右のスピーカーの間に結線され、信号又は電力をスピーカーへ伝送する。上記装着後の側面図において、左耳と右耳とも対応する。【００３９】
図５Ｂは、イヤホンの装着方法（２）９００を示す図であり、第１の態様（実施例１）の構成のイヤホンを装着した場合を、後頭部側から見た図９００が示されている。基板（部品）９０３は後頭部に配置され、左側スピーカー９０４は左耳にいれられており、右側スピーカー９０５は右耳にいれられている。左側スピーカー９０４と基板（部品）９０３との間、右側スピーカー９０５と基板（部品）９０３との間は、それぞれ伸縮性のある配線９０６により接続されている。その配線は左耳又は右耳の耳輪と舟状窩の間の溝に配置されている。【００４０】
すばやく第１の態様（実施例１）の構成のイヤホンを装着する方法として、
Ｓｔｅｐ１）  イヤホンの基板（部品）９０３を頭の後ろ或は頭頂部付近に置く。
Ｓｔｅｐ２）  両スピーカーを持ちながら、頭の後ろ或は頭頂部付近から頭の前方へ、
伸縮性のある配線を耳と頭との溝に沿って配線する。
Ｓｔｅｐ３）  両スピーカーを両耳の穴に入れる。【００４１】
以上の通り、伸縮性のある配線で構成した本例のイヤホン構成の装着方法により、すばやくイヤホンを装着可能となり、うまく、迅速に装着できない焦燥感を無くすことができる。
【符号の説明】
【００４２】
１      無線イヤホン
１１    下蓋
２２    上蓋
５０    イヤホンコード
５１    スピーカー部
１００  第一の態様
１０１  左側のスピーカー
１０２  右側のスピーカー
１０３  基板
１０４  伸縮性のある配線（１）
１０５  伸縮性のある配線（２）
２００  第二の態様
２０１  左側のスピーカー
２０２  右側のスピーカー
２０３  基板１
２０４  基板２
２０５  伸縮性のある配線（１）
２０６  伸縮性のある配線（２）
３００  第三の態様
３０１  左側のスピーカー
３０２  右側のスピーカー
３０３  伸縮性のある配線
４００  伸縮性のある配線の伸縮特性例（１）
５００  伸縮性のある配線の伸縮特性例（２）
６００  基板（部品）の伸縮配線の長さの調整例（１）
６０１  基板
６０２  突起部
６０３  伸縮配線
６０４  配線固定用突起部
６０５  配線固定リング型部品
７００  スピーカーの伸縮配線の長さの調整例（２）
７０１  スピーカー本体
７０２  伸縮配線
７０３  配線を固定用隙間
８００  イヤホンの装着方法（１）
８０１  伸縮性のある配線
８０２  スピーカー
９００  イヤホンの装着方法（２）
９０３  基板
９０４  左側スピーカー
９０５  右側スピーカー
９０６  伸縮性のある配線
【図１】
2017217374.tif 000003
【図２Ａ】
2017217374.tif 000004
【図２Ｂ】
2017217374.tif 000005
【図２Ｃ】
2017217374.tif 000006
【図３Ａ】
2017217374.tif 000007
【図３Ｂ】
2017217374.tif 000008
【図４Ａ】
2017217374.tif 000009
【図４Ｂ】
2017217374.tif 000010
【図５Ａ】
2017217374.tif 000011
【図５Ｂ】
2017217374.tif 000012
【国際調査報告】
2017217374.tif 000013
2017217374.tif 000014
2017217374.tif 000015
2017217374.tif 000016